(57)【要約】【課題】  本体部側の原稿読取部とは別に第２の原稿読取部を内蔵するＡＤＦを備えた画像形成装置において、読取動作の効率化を図ることにある。【解決手段】  この画像形成装置１は、原稿を１枚ずつコンタクトガラス１１に向けて給紙するためのＡＤＦ５を有し、原稿読取部１３と、ＣＩＳ６５とを備えている。原稿読取部６５は、ＡＤＦ５と対向する原稿読取位置Ｒにおいて原稿の第１面の画像情報を読み取り可能であるとともに、コンタクトガラス１１に沿って水平方向に移動可能な光源３１を有する。ＣＩＳ６５は、ＡＤＦ５内に配置され、原稿の第２面の画像情報を読み取り可能である。そして、原稿読取部１３は、ＣＩＳ６５による読み取りが行われている間に、水平方向領域Ｓにおいて光源３１に他の原稿を照射させることにより他の原稿の画像情報を読み取り可能である。【選択図】      図３
2006128765.tif 000002
【特許請求の範囲】
【請求項１】
上部に原稿台が形成された本体部と、原稿を１枚ずつ前記原稿台に向けて給紙するための第１原稿給紙装置とを有する画像形成装置であって、
前記本体部内に配置され、前記第１原稿給紙装置と対向する原稿読取位置において前記原稿の第１面の画像情報を読み取り可能であるとともに、前記原稿台に沿って水平方向に移動可能な光源を有する第１読取部と、
前記第１原稿給紙装置内に配置され、前記原稿の第１面の裏面側の第２面の画像情報を読み取り可能な第２読取部とを備え、
前記第１読取部は、前記第２読取部による読み取りが行われている間に、前記原稿台上の前記原稿読取位置と異なる水平方向領域において前記光源に他の原稿を照射させることで前記他の原稿の画像情報を読み取り可能である、
を備えた画像形成装置。
【請求項２】
前記第１原稿給紙装置と異なる水平方向領域において前記原稿台に対向して配置される原稿押さえをさらに備え、
前記第１読取部の光源は、前記第２読取部による読み取りが行われている間に、前記原稿押さえにより押さえられた前記他の原稿を照射可能である、
請求項１に記載の画像形成装置。
【請求項３】
前記第１原稿給紙装置と異なる水平方向位置に前記原稿台に対向して配置された第２原稿給紙装置をさらに備え、
前記第１読取部の光源は、前記第２読取部による読み取りが行われている間に、前記第２原稿給紙装置により前記原稿台に給紙される前記他の原稿を照射可能である、
請求項１に記載の画像形成装置。
【請求項４】
前記第１読取部が前記原稿の第１面の読み取りを行うとともに前記第２読取部が前記原稿の第２面の読み取りを行う第１読取動作と、前記第２読取部が前記原稿の第２面の読み取りを行うとともに前記第１読取部が前記他の原稿の一方の面の読み取りを行う第２読取動作とを選択的に指示可能な指示部をさらに備えた、請求項１から３のいずれか１項に記載の画像形成装置。
【請求項５】
前記第１読取部の光源は、前記第１読取動作が指示されると前記原稿読取位置に配置され、前記第２読取動作が指示されると前記原稿読取位置と異なる水平方向領域に配置される、請求項４に記載の画像形成装置。
【請求項６】
前記第１読取部の光源は、前記原稿読取部と異なる水平方向領域に初期位置として配置されている、請求項１から５のいずれか１項に記載の画像形成装置。
【発明の詳細な説明】
【技術分野】
【０００１】
本発明は、画像形成装置、特に、上部に原稿台が形成された本体部と、原稿を１枚ずつ前記原稿台に向けて給紙するための原稿給紙装置とを有する画像形成装置に関する。
【背景技術】
【０００２】
複写機等の画像形成装置において、原稿台に対向して配置され、複数枚の原稿を１枚ずつ原稿台に向けて給紙可能な自動原稿給紙装置（以下、ＡＤＦ）を備えたものがある。ＡＤＦにセットされた原稿は、コピー若しくはスキャンが指示されると、原稿台の原稿読取位置まで搬送され、原稿台の下方に配置された原稿読取部によって画像情報が読みとられる。
【０００３】
従来のＡＤＦにおいて、両面に画像情報が記録された原稿について、１回の動作で両面の画像情報を読み取れるよう、本体部側の原稿読取部とは別に、密着イメージセンサ（以下、ＣＩＳ）で構成された第２の原稿読取部を内蔵したものが知られている。ＣＩＳは、原稿の搬送路上において、本体部側の原稿読取部によって読み取られる側の原稿の面と逆側の面側に配置されている。
【０００４】
このようなＡＤＦでは、内部で原稿を反転させることなく、原稿の一方の面が本体部側の原稿読取部によって読みとられるとともに他方の面がＣＩＳによって読みとられるので、より早く両方の面の読取を行うことができる。
【０００５】
なお、関連する技術として、例えば特許文献１に示すものが既に提案されている。
【特許文献１】特開２００２−３５４２０１号公報
【発明の開示】
【発明が解決しようとする課題】
【０００６】
上記従来のＡＤＦにおいて、例えば片面にのみ画像情報が記録された原稿について、その片面の読取のみを行う場合は、本体部側の原稿読取部によって読み取りが行われるようになっている。したがって、両面の読取及び片面の読取のいずれが行われる場合も、本体部側の原稿読取部によって読取が行われるため、読取に要する時間は変わらない。
【０００７】
本発明の課題は、本体部側の原稿読取部とは別に第２の原稿読取部を内蔵するＡＤＦを備えた画像形成装置において、読取動作の効率化を図ることにある。
【課題を解決するための手段】
【０００８】
請求項１に係る画像形成装置は、上部に原稿台が形成された本体部と、原稿を１枚ずつ原稿台に向けて給紙するための第１原稿給紙装置とを有する画像形成装置であって、第１読取部と、第２読取部とを備えている。第１読取部は、本体部内に配置され、第１原稿給紙装置と対向する原稿読取位置において原稿の第１面の画像情報を読み取り可能であるとともに、原稿台に沿って水平方向に移動可能な光源を有する。第２読取部は、第１原稿給紙装置内に配置され、原稿の第１面の裏面側の第２面の画像情報を読み取り可能である。そして、第１読取部は、第２読取部による読み取りが行われている間に、原稿台上の原稿読取位置と異なる水平方向領域において光源に他の原稿を照射させることにより他の原稿の画像情報を読み取り可能である。
【０００９】
この装置では、第１原稿読取装置にセットされた原稿は、第１面が第１読取部に読み取られ、第２面が第２読取部に読み取られることで、その両面が読み取られることが可能である。そして、原稿の片面の読取のみを行えばよい場合は、その原稿の読み取りを第２読取部に行わせ、これと並行して、原稿読取位置と異なる水平方向位置において、第１読取部に他の原稿の読取を行わせることができる。
【００１０】
したがって、この装置では、読取作業の効率化を図ることができる。
なお、本発明において、上部、水平方向等の方向を指す文言は、画像形成装置の通常の使用状態での姿勢を基準にしたときの方向を指し、絶対的な方向を指すものではない。
【００１１】
請求項２に係る画像形成装置は、第１原稿給紙装置と異なる水平方向領域において原稿台に対向して配置される原稿押さえをさらに備えている。そして、第１読取部の光源は、第２読取部による読み取りが行われている間に、原稿押さえにより押さえられた他の原稿を照射可能である。
【００１２】
この装置では、具体的に、第１原稿給紙装置にセットされた原稿の読み取りと並行して、原稿台に押さえられた他の原稿の読み取りを行うことができる。
請求項３に係る画像形成装置は、請求項１の装置において、第１原稿給紙装置と異なる水平方向位置に原稿台に対向して配置された第２原稿給紙装置をさらに備えている。そして、第１読取部の光源は、第２読取部による読み取りが行われている間に、第２原稿給紙装置により原稿台に給紙される他の原稿を照射可能である。
【００１３】
この装置では、具体的に、第１原稿給紙装置にセットされた原稿の読み取りと並行して、第２原稿給紙装置にセットされた他の原稿の読み取りを行うことができる。
請求項４に係る画像形成装置は、請求項１から３のいずれか１項の装置において、第１読取部が原稿の第１面の読み取りを行うとともに第２読取部が原稿の第２面の読み取りを行う第１読取動作と、第２読取部が原稿の第２面の読み取りを行うとともに第１読取部が他の原稿の一方の面の読み取りを行う第２読取動作とを選択的に指示可能な指示部をさらに備えている。
【００１４】
この装置では、ある原稿の両面の読取を行わせる場合は第１読取動作を指示し、２種の原稿のそれぞれ片面の読み取りを行わせる場合は第２読取動作を指示することで、ユーザが、２つの読取動作を選択的に指示することができる。
【００１５】
請求項５に係る画像形成装置は、請求項４の装置において、第１読取部の光源は、第１読取動作が指示されると原稿読取位置に配置され、第２読取動作が指示されると原稿読取位置と異なる水平方向領域に配置される。
【００１６】
この装置では、具体的に、ユーザーが指示した読取動作に適したポジションに光源を移動させるようになっている。
請求項６に係る画像形成装置は、請求項１から５のいずれか１項の装置において、第１読取部の光源は、原稿読取部と異なる水平方向領域に初期位置として配置されている。
【００１７】
この装置では、２種の原稿の片面ずつの読み取りが指示された場合は、光源が移動する必要がなく或いは光源の移動量が少なくなり、原稿の両面の読み取りを行う機会が少ない場合に特に有効である。
【発明の効果】
【００１８】
本発明によれば、原稿の片面の読取のみを行えばよい場合は、その原稿の読み取りを第２読取部に行わせ、これと並行して、原稿読取位置と異なる水平方向位置において、第１読取部に他の原稿の読取を行わせることができる。したがって、この装置では、読取作業の効率化を図ることができる。
【発明を実施するための最良の形態】
【００１９】
［第１実施形態］
＜画像形成装置の構成＞
図１及び図２に、本発明の第１実施形態が採用された画像形成装置１を示す。また、図３に、この画像形成装置１の要部を示す。
【００２０】
画像形成装置１は、複写機、プリンタ、スキャナ装置としての機能を併有する複合機であって、本体部３と、自動原稿給紙装置（第１原稿給紙装置）５と、原稿押さえ７とを備えている。
【００２１】
自動原稿給紙装置（以下、ＡＤＦ）５は、原稿載置トレイ６１及び排紙トレイ６３を有し、原稿載置トレイ６１に載置された原稿を１枚ずつコンタクトガラス１１上の原稿読取位置Ｒに向けて給紙して、給紙後の原稿を排紙トレイ６３に排紙する。また、ＡＤＦ５は、原稿の搬送経路上に配置された密着イメージセンサ（第２読取部、以下、ＣＩＳ）６５を有しており、原稿載置トレイ６１に載置された原稿の下面（第２面）の読取を行うことができる。したがって、後述する片面ずつ読取を行わせる場合は、原稿は、画像情報が記録された側を下面側にして原稿載置トレイ６１に載置される。なお、ＣＩＳとしては、公知のものが採用される。
【００２２】
原稿押さえ７は、ＡＤＦ５に隣接して本体部３の上部に開閉自在に装着されており、コンタクトガラス１１上の水平方向領域Ｓ（後述）に載置された原稿を押さえることができる。
【００２３】
本体部３は、上面にコンタクトガラス（原稿台）１１が設けられるとともに、その内部には、原稿読取部（第１読取部）１３、操作パネル（指示部）１５、画像形成部１７、制御部１９等が配置されている。
【００２４】
原稿読取部１３は、本体部３内のコンタクトガラス１１の直下に配置され、光源３１と、ミラー、レンズ等で構成される光学系（図示せず）と、原稿からの反射光を受光するＣＣＤ（図示せず）とを有する。光源３１は、一方向に延びるランプで構成され、ランプの延びる方向と垂直な方向にコンタクトガラス１１に沿って水平方向に移動可能に設けられている。
【００２５】
光源３１は、原稿押さえ７と対向する水平方向領域Ｓの任意の位置を初期位置として配置されており、１種の原稿の両面の読み取りを行う両面読取（第１読取動作）が指示された場合は、ＡＤＦ５に対向する原稿読取位置Ｒに移動して、ＡＤＦ５から給紙される原稿の一方の面（第１面）を照射し、２種の原稿のそれぞれ片面の読み取りを行う片面ずつ読取（第２読取動作）が指示された場合は、水平方向領域Ｓ内を水平方向に移動しながら原稿押さえ７に押さえられた原稿の下面を照射する。そして、各原稿からの反射光は、光学系を経由してＣＣＤに入光する。
【００２６】
操作パネル１５は、本体部３のコンタクトガラス１１の前方に隣接して設けられ、複数の操作キーと、タッチパネル式の液晶ディスプレイで構成された表示部（共に図示せず）とを有している。操作キーには、コピー、プリンタ、スキャナのいずれかを選択するためのキーのほか、コピーや原稿の読み取り（スキャン）を指示するためのスタートボタンや、テンキー、各種設定キー等が含まれる。
【００２７】
表示部は、ユーザーの入力操作を受け付ける各種操作画面を表示することができる。このような操作画面には、両面読取か片面ずつ読取かを選択して指示するための指示画面が含まれる。この指示画面において、片面ずつ読取が選択された場合は、図４に示すような設定画面が表示される。この設定画面では、ＣＩＳ６５に読み取らせる第１の原稿についての設定画面を表示させる第１タブ４１と、原稿読取部１３に読み取らせる第２の原稿についての設定画面を表示させる第２タブ４３とが表示され、各タブ４１，４３に応じた設定画面が選択的に表示されるようになっている。各設定画面では、各原稿について必要に応じて印刷条件等を設定するためのボタン（図示せず）が表示される。
【００２８】
画像形成部１７は、原稿読取部１３及びＣＩＳ６５で読み取られた画像情報、若しくは他の外部接続装置から送られるプリントデータや外部のファクシミリ装置から送信されたファクシミリデータに基づいて用紙に画像形成を行う。画像形成部１７は、具体的に、感光体ドラムと、その周囲に配置された帯電装置、露光装置、現像装置、転写装置等と、これらの下流側に配置された定着装置（いずれも図示せず）とで構成される。
【００２９】
制御部１９は、ＣＰＵ及びメモリを含むマイクロコンピュータで構成され、原稿読取部１３，ＡＤＦ５等の入出力部の動作の制御等を行う。制御部１９は、両面読取やＡＤＦ５での片面読取が指示された場合は、光源３１を原稿読取位置Ｒに移動させ、片面ずつ読取や水平方向領域Ｓでの片面読取が指示された場合は、光源３１を水平方向領域Ｓ内で移動するよう制御する。
【００３０】
また、メモリには、ＣＰＵに実行させるための各種プログラムが格納されている。又、メモリには、ＡＤＦ５及びＣＩＳ６５により読み取られた画像情報が画像データとして保存される。
【００３１】
また、本体部３の内部には、他の入出力部として、給紙カセット５１や手差しトレイ５３から用紙を１枚ずつ給紙する給紙部や、画像形成が行われた用紙を排出する排紙部、パーソナルコンピュータ等の外部接続機器や外部のファクシミリ装置との間で、画像データを送受信可能な通信部等も配置されている。
【００３２】
＜画像形成装置の動作＞
次に、図５に基づいて、画像形成装置１の動作の一例について説明する。
ここでは、特に、コピー若しくは読取を行う場合を例に説明する。また、ここでは、予め、両面印刷及び片面ずつ印刷のいずれを行う場合もＡＤＦ５に予め原稿をセットしておく。
【００３３】
操作パネル１５において、コピー若しくはスキャナが選択されると（Ｓ１）、表示部に表示された操作画面において、両面読取か片面ずつ読取を選択することができる。
ステップＳ２において、両面読取を選択した場合は、必要な印刷条件の設定を行った後（Ｓ３）スタートキーを押すと（Ｓ４）、光源３１が原稿読取位置Ｒにポジション移動し（Ｓ５）、ＡＤＦ５において、ＣＩＳ６５により原稿の下面の読取が行われるとともに、原稿読取部１３により原稿の上面の読取が行われる（Ｓ６）。そして、読み取られた画像情報は画像データとしてメモリに蓄積されて、コピーが指示されていた場合は（Ｓ７）、画像形成部１７により画像データが用紙に出力され（Ｓ８）、スキャナが指示されていた場合は、読み取られた画像情報がメモリに保存される（Ｓ９）。
【００３４】
一方、ステップＳ２において、片面ずつ読取を選択した場合は、まず、第１タブ４１をさらに選択して、ＣＩＳ６５に読み取らせる方の原稿について必要な印刷条件等の設定を行い（Ｓ１１）、スタートキーを押す（Ｓ１２）。すると、光源３１は初期位置を維持したまま、ＡＤＦ５においてＣＩＳ６５による原稿の読取等の処理（印刷又はメモリへの保存を含む）が行われる（Ｓ１３）。
【００３５】
そして、この間に、操作パネル１５において第２タブ４３を選択して、画像読取部１３に読み取らせる方の原稿について必要な印刷条件等の設定を行い（Ｓ１４）、原稿を１枚ずつコンタクトガラス１１上に載置し原稿押さえ７で押さえてスタートキーを押す（Ｓ１５）。これにより、この原稿については、原稿読取部１３により読取等の処理が行われる（Ｓ１６）。
【００３６】
以上の画像形成装置１によれば、ある原稿について片面の読取のみを行えばよい場合は、その原稿の読み取りをＣＩＳ６５に行わせ、これと並行して、これとは別の他の原稿を、原稿読取部１３により読み取らせることができる。
【００３７】
したがって、この装置１では、例えば、片面の読取のみを行わせる１００枚の原稿を５０枚ずつに分け、一方をＡＤＦ５にセットしてＣＩＳ６５に読み取らせ、他方を１枚ずつ原稿押さえ７で押さえて読み取らせることができ、読取作業の効率化を図ることができる。
【００３８】
［第２実施形態］
ここでは、第１実施形態との相違に注目して説明する。
図６に本発明の第２実施形態が採用された画像形成装置１０１の要部を示す。
【００３９】
この画像形成装置１０１では、上記第１実施形態の原稿押さえ７に代えて、ＡＤＦ１０５と一体に形成された第２のＡＤＦ（第２読取部）１０７を備えている。ＡＤＦ１０７は、ＣＩＳを有しない点以外は、ＡＤＦ１０５と同様に構成されており、セットされた原稿をコンタクトガラス１１１上の原稿読取位置Ｔに給紙可能である。
【００４０】
画像読取部の光源１３１は、原稿読取位置Ｔを初期位置として配置されている。
本体部１０３の制御部は、両面読取が指示されると、光源１３１を原稿読取位置Ｕに移動させて、ＣＩＳ１６５による読取を行わせるとともに、片面ずつ読取が指示されると、光源１３１を原稿読取位置Ｔから移動させずに、原稿読取部による原稿の読取を行わせる。
【００４１】
このように構成された画像形成装置１０１において、両面読取を行う場合は、ＡＤＦ１０５に原稿をセットし、必要な設置を行った後、スタートキーを押す。すると、光源１３１が原稿読取位置Ｕに移動するとともに、ＡＤＦ１０５において上面が原稿読取部により読み取られるとともに、下面がＣＩＳ１６５により読み取られる。
【００４２】
一方、片面ずつ読取を行う場合は、各原稿をＡＤＦ１０５，１０７にそれぞれセットし、各原稿について必要な設定を行った後スタートボタンを押すと、光源１３１は初期位置のまま、ＡＤＦ１０５において原稿の下面が読み取られるとともに、ＡＤＦ１０７において原稿の上面が読み取られる。
【００４３】
このような装置において、ＡＤＦ１０５にセットした原稿と並行して、ＡＤＦ１０７にセットした他の原稿の読取も行うことができ、読み取り作業の効率化を図ることができる。
【００４４】
［他の実施形態］
（ａ）第２実施形態において、第１のＡＤＦと第２のＡＤＦとは別体であっても良い。また、第２のＡＤＦ内にもＣＩＳが配置されても良い。
【００４５】
（ｂ）上記実施形態において、光源は、原稿読取位置Ｒ又はＵを初期位置としても良い。
（ｃ）上記実施形態において、設定画面は、図４に示すものに限定されない。
【００４６】
（ｄ）本発明は、複写機能を有しないスキャナ装置にも適用可能である。
【図面の簡単な説明】
【００４７】
【図１】本発明の第１実施形態が採用された画像形成装置を示す正面図。
【図２】前記画像形成装置の構成をブロック図。
【図３】前記画像形成装置の要部を模式的に示す示す縦断面図。
【図４】前記画像形成装置の表示部に表示される操作画面を示す平面図。
【図５】前記画像形成装置の動作を説明するためのフローチャート。
【図６】本発明の第２実施形態が採用された画像形成装置の要部を模式的に示す縦断面図。
【符号の説明】
【００４８】
１，１０１  画像形成装置
３，１０３  本体部
５，１０５，１０７  ＡＤＦ
７  原稿押さえ
１１，１１１  コンタクトガラス（原稿台）
１３  原稿読取部（第１読取部）
１５  操作パネル（指示部）
３１，１３１  光源
６５，１６５  ＣＩＳ（第２読取部）
Ｒ，Ｕ  原稿読取位置
Ｓ，Ｔ  水平方向領域
【図１】
2006128765.tif 000003
【図２】
2006128765.tif 000004
【図３】
2006128765.tif 000005
【図４】
2006128765.tif 000006
【図５】
2006128765.tif 000007
【図６】
2006128765.tif 000008